(57)【要約】  受電装置（１０）は、複数の受電コイル（３１、３２）、複数の整流素子（４１、４２）、および、統合出力平滑キャパシタ（５１）を備える。複数の受電コイル（３１、３２）は、筐体（１１）の側面（１１１）に沿って延びる第１導体部（３１１、３２１）をそれぞれ有するように、筐体（１１）に対して配置される。複数の整流素子（４１、４２）は、複数の受電コイル（３１、３２）にそれぞれ接続する。統合出力平滑キャパシタ（５１）は、複数の整流素子（４１、４２）の出力電気エネルギーを蓄電する。
2020188907.tif 000002
【特許請求の範囲】
【請求項１】
内部に空間を有する柱体と、
前記柱体の外側に配置された複数の受電コイルと、
前記複数の受電コイルの少なくとも２個以上にそれぞれ接続され、それぞれの受電コイルとともに共振回路を構成する複数の共振キャパシタと、
前記複数の受電コイルの少なくとも２個以上に電気的に接続された個別整流素子と、
前記複数の個別整流素子に電気的に接続された統合出力平滑キャパシタと、
を備え、
前記複数の個別整流素子から出力される電気エネルギーを前記統合出力平滑キャパシタに統合して蓄電、電力の供給を行う、ワイヤレス給電システムの受電装置。
【請求項２】
前記複数の受電コイルのそれぞれは、前記柱体を覆うように、前記柱体の側面の外周に沿って、互いに位置をずらして配置されている、
請求項１に記載のワイヤレス給電システムの受電装置。
【請求項３】
前記複数の受電コイルは、前記柱体の外周に沿って、等間隔に配置されている、
請求項２に記載のワイヤレス給電システムの受電装置。
【請求項４】
前記複数の受電コイルと前記柱体との間に配置された磁性シートを備える、
請求項１乃至請求項３のいずれかに記載のワイヤレス給電システムの受電装置。
【請求項５】
前記複数の受電コイルは、湾曲可能な絶縁性シートと、該絶縁性シートに形成された線状の導体パターンとを用いて形成されている、
請求項１乃至請求項４のいずれかに記載のワイヤレス給電システムの受電装置。
【請求項６】
前記複数の個別整流素子は、
前記柱体の内部に配置される、
請求項１乃至請求項５のいずれかに記載のワイヤレス給電システムの受電装置。
【請求項７】
前記複数の個別整流素子に電気的に接続された複数の個別出力平滑キャパシタを備え、
前記複数の個別出力平滑キャパシタは、それぞれが直列接続され、
前記複数の個別出力平滑キャパシタの直列回路は、前記統合出力平滑キャパシタに接続されている、
請求項１乃至請求項６のいずれかに記載のワイヤレス給電システムの受電装置。
【請求項８】
前記複数の受電コイルのうち少なくとも２個以上の受電コイルを含んで構成される前記複数の共振回路は、異なる共振周波数を有する、
請求項１乃至請求項７のいずれかに記載のワイヤレス給電システムの受電装置。
【請求項９】
前記統合出力平滑キャパシタに電気的に接続された二次電池を備え、
前記二次電池は、前記柱体の内部に配置される、
請求項１乃至請求項８のいずれかに記載のワイヤレス給電システムの受電装置。
【請求項１０】
前記統合出力平滑キャパシタに電気的に接続された二次電池を備え、
前記柱体は、前記二次電池の外装である、
請求項１乃至請求項８のいずれかに記載のワイヤレス給電システムの受電装置。
【請求項１１】
前記複数の個別整流素子は、それぞれに半波整流回路または全波整流回路を構成する、
請求項１乃至請求項１０のいずれかに記載のワイヤレス給電システムの受電装置。
【請求項１２】
前記複数の個別整流素子は、それぞれに倍電圧整流回路または倍電流整流回路を構成する、
請求項１乃至請求項１０のいずれかに記載のワイヤレス給電システムの受電装置。
【請求項１３】
前記柱体は円柱を主とする形状である、
請求項１乃至請求項１２のいずれかに記載のワイヤレス給電システムの受電装置。
【請求項１４】
前記柱体は直方体を主とする形状である、
請求項１乃至請求項１２のいずれかに記載のワイヤレス給電システムの受電装置。
【発明の詳細な説明】
【技術分野】
【０００１】
本発明は、ワイヤレス給電によって受電する受電装置に関する。
【背景技術】
【０００２】
特許文献１は、ワイヤレス充電方式に用いられる充電池を記載している。特許文献１に記載の充電池は、円筒状の電池本体と受電コイルとを備える。受電コイルは、電池本体の外周側面に高々１重に巻かれている。【０００３】
特許文献２は、非接触充電対応型二次電池を記載している。特許文献２に記載の非接触充電対応二次電池は、複数の受電コイルを備える。複数の受電コイルは、それぞれに環状である。
【先行技術文献】
【特許文献】
【０００４】
【特許文献１】国際公開第２０１４／１８１４６２号
【特許文献２】特許第５７９８４０７号明細書
【発明の概要】
【発明が解決しようとする課題】
【０００５】
しかしながら、特許文献１に記載の充電池では、受電コイルと送電コイルとが磁気結合を大きくとれる転がり角の範囲は、狭くなってしまう。すなわち、磁気結合が大きく取れる充電池の姿勢は、限定的になってしまう。【０００６】
また、特許文献２に記載の非接触充電対応型二次電池では、送電コイルとの結合に寄与しない受電コイルが存在してしまう。このような受電コイルは、受電効率を低下させてしまう。【０００７】
したがって、本発明の目的は、送電装置に対する配置の姿勢の影響を受け難く、高い電力効率で受電できる受電装置を提供することにある。
【課題を解決するための手段】
【０００８】
この発明に係るワイヤレス給電システムの受電装置は、柱体、複数の受電コイル、複数の共振用キャパシタ、個別整流素子、および、統合出力平滑キャパシタを備える。柱体は、内部に空間を有する。複数の受電コイルは、柱体の外側に配置される。複数の共振用キャパシタは、複数の受電コイルの少なくとも２個以上にそれぞれ接続され、それぞれの受電コイルとともに共振回路を構成する。個別整流素子は、複数の受電コイルの少なくとも２個以上に電気的に接続される。統合出力平滑キャパシタは、複数の個別整流素子に電気的に接続される。複数の個別整流素子から出力される電気エネルギーは、統合出力平滑キャパシタに統合して、蓄電、電力供給される。【０００９】
この構成では、複数の受電コイルのいずれかと送電コイルとの磁界結合が高くなる。そして、複数の受電コイルで受電した電力は、個々に整流された状態で蓄電される。したがって、磁界結合が高い受電コイルによる出力電力へ寄与を低下させることなく、磁界結合が低い受電コイルによる出力電力への悪影響は、抑制される。
【発明の効果】
【００１０】
この発明によれば、受電装置の送電装置に対する配置の姿勢の影響を受け難く、高い電力効率となる受電を実現できる。
【図面の簡単な説明】
【００１１】
【図１】図１（Ａ）は、第１の実施形態に係る受電装置１０の端面を視た図であり、図１（Ｂ）は、第１の実施形態に係る受電装置１０の側面を視た図である。
【図２】図２は、第１の実施形態に係る受電装置１０を送電装置９０に配置した一態様を示す斜視図である。
【図３】図３は、第１の実施形態に係る受電装置１０の内部構造を示す斜視図である。
【図４】図４（Ａ）は、第１の実施形態に係る受電装置１０の回路構成の第１態様を示す図であり、図４（Ｂ）は、結合係数Ｋの回転角に対する依存性を示すグラフであり、図４（Ｃ）は、図４（Ａ）の回路構成を採用して、統合出力平滑キャパシタから受電共振回路側をみた場合の結合係数Ｋの回転角に対する依存性を示すグラフである。
【図５】図５（Ａ）は、第１の実施形態に係る受電装置１０’の回路構成の第２態様を示す図であり、図５（Ｂ）は、図５（Ａ）の回路構成を採用して、統合出力平滑キャパシタから受電共振回路側をみた場合の結合係数Ｋの回転角に対する依存性を示すグラフである。
【図６】図６は、第２の実施形態に係る受電装置１０Ａにおける複数の受電コイルの配置の一態様を示す斜視図である。
【図７】図７（Ａ）、図７（Ｂ）、図７（Ｃ）、図７（Ｄ）は、第２の実施形態に係る受電コイルの外観斜視図である。
【図８】図８（Ａ）は、第２の実施形態に係る複数の受電コイルの複合体における折り曲げ加工前の平面図であり、図８（Ｂ）は、第２の実施形態に係る複数の受電コイルの複合体における折り曲げ加工前の側面図である。
【図９】図９は、第２の実施形態に係る受電装置１０Ａの回路構成の第１態様を示す図である。
【図１０】図１０（Ａ）は、結合係数Ｋの回転角に対する依存性を示すグラフであり、（Ｂ）は、図９の回路構成を採用して、統合出力平滑キャパシタから受電共振回路側をみた場合の結合係数Ｋの回転角に対する依存性を示すグラフである。
【図１１】図１１は、第２の実施形態に係る受電装置１０Ａ’の回路構成の第２態様を示す図である。
【図１２】図１２は、第２の実施形態に係る受電装置における複数の受電コイルの配置の他の一態様を示す斜視図である。
【発明を実施するための形態】
【００１２】
（第１実施形態）
本発明の第１の実施形態に係る受電装置について、図を参照して説明する。図１（Ａ）は、第１の実施形態に係る受電装置１０の端面を視た図であり、図１（Ｂ）は、第１の実施形態に係る受電装置１０の側面を視た図である。図２は、第１の実施形態に係る受電装置１０を送電装置９０に配置した一態様を示す斜視図である。図３は、第１の実施形態に係る受電装置１０の内部構造を示す斜視図である。
【００１３】
（受電装置１０の構造）
図１（Ａ）、図１（Ｂ）、図２に示すように、受電装置１０は、筐体１１、磁性シート２１、受電コイル３１、および、受電コイル３２を備える。
【００１４】
筐体１１は、柱体である。より具体的には、筐体１１は、円筒形であり、側面１１１と、２個の端面１１２とを備える。側面１１１の延びる方向に対して直交する面で切った断面は、円形である。２個の端面１１２は、側面１１１の延びる方向の一方端と他方端とにそれぞれ配置されている。筐体１１は、所定の剛性を有する。例えば、筐体１１の材料は、金属である。なお、側面１１１の延びる方向とは、側面１１１の湾曲する方向に対して直交する方向であり、端面１１２に直交する方向である。
【００１５】
磁性シート２１は、筐体１１における側面１１１を覆っている。
【００１６】
受電コイル３１は、巻回形の線状導体もしくは帯状導体であり、２箇所の第１導体部３１１と２箇所の第２導体部３１２とを備える。第１導体部３１１は、本発明の「主導体部」に対応する。２箇所の第１導体部３１１の両端は、それぞれ別の第２導体部３１２によって接続されている。すなわち、受電コイル３１は、導体の延びる方向に沿って、第１導体部３１１と第２導体部３１２とが交互に現れる形状である。
【００１７】
２箇所の第１導体部３１１は、筐体１１の側面１１１に沿って配置されている。この際、２箇所の第１導体部３１１は、磁性シート２１における筐体１１への当接面と反対側の面に当接している。２箇所の第１導体部３１１の一方端は、一方の端面１１２に達しており、他方端は、他方の端面１１２に達している。そして、２箇所の第１導体部３１１の延びる方向は、側面１１１の延びる方向と略一致している。
【００１８】
また、２箇所の第１導体部３１１は、側面１１１における互いに対向する側に配置されている。言い換えれば、２箇所の第１導体部３１１は、端面１１２を正面に視て、筐体１１を挟むように配置されている。
【００１９】
一方の第２導体部３１２は、一方の端面１１２に略平行であって、一方の端面１１２の略近傍に配置されている。一方の第２導体部３１２と一方の端面１１２との間には、磁性シート２１があってもよい。他方の第２導体部３１２は、他方の端面１１２に略平行であって、他方の端面１１２の略近傍に配置されている。他方の第２導体部３１２と他方の端面１１２との間には、磁性シート２１があってもよい。
【００２０】
受電コイル３２は、巻回形の線状導体もしくは帯状導体であり、２箇所の第１導体部３２１と２箇所の第２導体部３２２とを備える。第１導体部３２１は、本発明の「主導体部」に対応する。２箇所の第１導体部３２１の両端は、それぞれ別の第２導体部３２２によって接続されている。すなわち、受電コイル３２は、導体の延びる方向に沿って、第１導体部３２１と第２導体部３２２とが交互に現れる形状である。
【００２１】
２箇所の第１導体部３２１は、筐体１１の側面１１１に沿って配置されている。この際、２箇所の第１導体部３２１は、磁性シート２１における筐体１１への当接面と反対側の面に当接している。２箇所の第１導体部３２１の一方端は、一方の端面１１２に達しており、他方端は、他方の端面１１２に達している。そして、２箇所の第１導体部３２１の延びる方向は、側面１１１の延びる方向と略一致している。
【００２２】
また、２箇所の第１導体部３２１は、側面１１１における互いに対向する側に配置されている。言い換えれば、２箇所の第１導体部３２１は、端面１１２を正面に視て、筐体１１を挟むように配置されている。
【００２３】
一方の第２導体部３２２は、一方の端面１１２に略平行であって、一方の端面１１２の略近傍に配置されている。一方の第２導体部３２２と一方の端面１１２との間には、磁性シート２１があってもよい。他方の第２導体部３２２は、他方の端面１１２に略平行であって、他方の端面１１２の略近傍に配置されている。他方の第２導体部３２２と他方の端面１１２との間には、磁性シート２１があってもよい。
【００２４】
受電コイル３１の第１導体部３１１と受電コイル３２の第１導体部３２１とは、筐体１１の側面１１１の周方向（外周）に沿って、互いに位置をずらして配置されている。より具体的な一例として、図１（Ａ）、図１（Ｂ）、図２に示す場合であれば、受電コイル３１の第１導体部３１１と受電コイル３２の第１導体部３２１とは、側面１１１の周方向に沿って略９０°の角度差をもって配置されている。
【００２５】
受電コイル３１の第２導体部３１２と受電コイル３２の第２導体部３２２とは、例えば、絶縁体を挟むことで、短絡しないように配置されている。
【００２６】
また、受電装置１０は、次に示す構成を備える。図３に示すように、受電装置１０は、二次電池８１、配線導体３１９、配線導体３２９、回路基板８００、および、複数の回路素子８０１を備える。複数の回路素子８０１は、回路基板８００に実装されている。複数の回路素子８０１は、例えば、コンデンサ、ダイオード、トランジスタ、ＩＣ等である。配線導体３１９は、受電コイル３１と回路基板８００とを接続する。配線導体３２９は、受電コイル３２と回路基板８００とを接続する。
【００２７】
二次電池８１は、例えば、円柱形である。二次電池８１は、回路基板８００に接続する。
【００２８】
複数の回路素子８０１が実装された回路基板８００と二次電池８１とは、筐体１１の内部、すなわち、筐体１１における側面１１１および端面１１２によって囲まれる中空部に配置されている。このような構成によって、回路基板８００と二次電池８１とが筐体１１の外部にある態様よりも、受電装置１０は、小型になる。なお、筐体１１の少なくとも一部は、二次電池８１の外装であってもよい。
【００２９】
（送電装置に対する受電装置の姿勢）
図２に示すように、送電装置９０は、台９１および送電コイル９２を備える。台９１の表面は略平坦である。送電コイル９２は、巻回形の線状導体である。送電コイル９２は、台９１の表面に対して平行に巻回している。送電コイル９２は、図示しない送電制御部に接続する。送電コイル９２は、送電制御部から高周波電力を供給されている。
【００３０】
受電装置１０は、台９１の上に配置される。この際、受電装置１０は、筐体１１の側面１１１の延びる方向が台９１の表面に対して平行になるように、台９１の上に配置される。
【００３１】
このような構成では、受電装置１０を台９１の配置した姿勢によって、送電コイル９２に対する受電コイル３１の姿勢、および、送電コイル９２に対する受電コイル３２の姿勢は、変化する。
【００３２】
例えば、図２の場合では、送電コイル９２の開口と受電コイル３２の開口とは、略平行になる。一方、送電コイル９２の開口と受電コイル３１の開口とは、略直交する。そして、送電コイル９２と受電コイル３２との磁界結合の結合係数Ｋは高くなる。一方、送電コイル９２と受電コイル３１との磁界結合の結合係数Ｋは低くなる。
【００３３】
また、図２の場合に対して、受電装置１０が側面１１１の周方向に沿って９０°で回転する。この場合、送電コイル９２の開口と受電コイル３２の開口とは、略直交する。一方、送電コイル９２の開口と受電コイル３１の開口とは、略平行になる。そして、送電コイル９２と受電コイル３２との磁界結合の結合係数Ｋは低くなる。一方、送電コイル９２と受電コイル３１との磁界結合の結合係数Ｋは高くなる。
【００３４】
また、図２の場合に対して、受電装置１０が側面１１１の周方向に沿って４５°で回転する。この場合、送電コイル９２の開口と受電コイル３２の開口とが重なる面積、送電コイル９２の開口と受電コイル３１の開口とが重なる面積は、所定の面積を有する。そして、送電コイル９２と受電コイル３２との磁界結合の結合係数Ｋ、および、送電コイル９２と受電コイル３１との磁界結合の結合係数Ｋは、ある程度の大きさとなる。
【００３５】
また、図２に示す場合に対して、受電装置１０が側面１１１の周方向に沿って角度αで回転する。なお、αは、０°から３５９°の間の所定の角度である。この場合、送電コイル９２の開口と受電コイル３２の開口とが重なる面積、および、送電コイル９２の開口と受電コイル３１の開口とが重なる面積のいずれか一方が、所定値以上の面積となる。そして、送電コイル９２と受電コイル３２との磁界結合の結合係数Ｋ、および、送電コイル９２と受電コイル３１との磁界結合の結合係数Ｋにおける重なる面積の大きな方の結合係数Ｋは、ある程度以上の大きさとなる。
【００３６】
このように、本実施形態の構成によって、受電装置１０の姿勢に関係なく、受電コイル３１と送電コイル９２との結合係数Ｋの絶対値、および、受電コイル３２と送電コイル９２との結合係数Ｋの絶対値のいずれか一方は、所望値以上となる。もしくは、受電装置１０の姿勢に関係なく、受電コイル３１と送電コイル９２との結合係数Ｋの絶対値と、受電コイル３２と送電コイル９２との結合係数Ｋの絶対値との加算値は、所望値以上となる。
【００３７】
また、受電装置１０の筐体１１は、円柱である。これにより、受電装置１０を送電装置９０に配置する時に、置き方に迷い難い。そして、受電装置１０をどのように置いても、所定値以上の結合係数が実現される。
【００３８】
（受電装置１０の回路構成の第１態様）
図４（Ａ）は、第１の実施形態に係る受電装置１０の回路構成の第１態様を示す図である。図４（Ａ）に示すように、受電装置１０は、受電共振回路３１０、受電共振回路３２０、整流素子４１、整流素子４２、統合出力平滑キャパシタ５１、個別出力平滑キャパシタ６１、個別出力平滑キャパシタ６２および、負荷ＲＬを備える。負荷ＲＬは、例えば、上述の二次電池８１である。
【００３９】
受電共振回路３１０は、受電コイル３１および共振用キャパシタによって構成される。共振用キャパシタは、図示を省略しているが、受電コイル３１に対して、電気的に並列または直列に接続する。
【００４０】
受電共振回路３２０は、受電コイル３２および共振用キャパシタによって構成される。共振用キャパシタは、図示を省略しているが、受電コイル３２に対して、電気的に並列または直列に接続する。
【００４１】
受電共振回路３１０の共振用キャパシタおよび受電共振回路３２０の共振用キャパシタは、例えば、上述の回路素子８０１によって実現される。
【００４２】
受電共振回路３１０の正極は、整流素子４１に接続し、負極は基準電位に接続する。受電共振回路３２０の正極は、整流素子４１に接続し、負極は基準電位に接続する。
【００４３】
整流素子４１および整流素子４２は、例えば、ダイオードである。整流素子４１および整流素子４２は、それぞれに本発明の「個別整流素子」に対応する。整流素子４１および整流素子４２は、例えば、上述の回路素子８０１によって実現される。
【００４４】
整流素子４１を構成するダイオードのアノードは、受電共振回路３１０の正極に接続する。整流素子４２を構成するダイオードのアノードは、受電共振回路３２０の正極に接続する。整流素子４１を構成するダイオードのカソードと、整流素子４２を構成するダイオードのカソードとは、接続する。
【００４５】
統合出力平滑キャパシタ５１の一方端は、整流素子４１を構成するダイオードのカソードと、整流素子４２を構成するダイオードのカソードとに接続する。統合出力平滑キャパシタ５１の他方端は、基準電位（グランド基準電位）に接続する。統合出力平滑キャパシタ５１は、例えば、上述の回路素子８０１によって実現される。統合出力平滑キャパシタ５１は、負荷ＲＬに対して、並列に接続する。
【００４６】
個別出力平滑キャパシタ６１の一方端は、整流素子４１を構成するダイオードのカソードに接続する。個別出力平滑キャパシタ６１の他方端は、基準電位に接続する。個別出力平滑キャパシタ６２の一方端は、整流素子４２を構成するダイオードのカソードに接続する。個別出力平滑キャパシタ６２の他方端は、基準電位に接続する。
【００４７】
このような回路構成では、受電共振回路３１０の出力電圧と受電共振回路３２０の出力電圧とに対するピークホールド制御が行われ、統合出力平滑キャパシタ５１に供給される。したがって、統合出力平滑キャパシタ５１は、受電共振回路３１０の出力電圧の絶対値と受電共振回路３２０の出力電圧の絶対値との内で値の大きな出力電力（出力電気エネルギー）によって、充電される。
【００４８】
図４（Ｂ）は、結合係数Ｋの回転角に対する依存性を示すグラフである。図４（Ｃ）は、図４（Ａ）の回路構成を採用して、統合出力平滑キャパシタから受電共振回路側をみた場合の結合係数Ｋの回転角に対する依存性を示すグラフである。回転角は、受電装置１０の側面１１１の周方向における、ある１点が他の部分よりも送電装置９０に近接した状態を角度０°として設定される。そして、この０°の状態に対して、受電装置１０が周方向に沿って回転した角度を意味する。図４（Ｂ）、図４（Ｃ）において、回転角が０°とは、受電コイル３２の第１導体部３２１の位置が、他の部分よりも送電装置９０に近接した状態である。
【００４９】
上述のように、送電装置９０に対して受電装置１０が配置される姿勢、すなわち、受電装置１０の回転角によって、図４（Ｂ）に示すように、受電コイル３１と送電コイル９２との結合係数Ｋ３１、および、受電コイル３２と送電コイル９２との結合係数Ｋ３２は、変化する。
【００５０】
しかしながら、図４（Ｃ）に示すように、結合係数Ｋ３１の絶対値、および、結合係数Ｋ３２の絶対値における値の高い方（図４（Ｃ）の実線に示すピークホールド値ＰＨ）は、常に所定値よりも大きくなる。
【００５１】
このように、図４（Ａ）の回路構成によって、回転角に依存することなく、結合係数Ｋの絶対値は、所定値以上に維持される。したがって、統合出力平滑キャパシタ５１には、回転角に依存することなく、所定レベル以上の電力が供給され、統合出力平滑キャパシタ５１は、充電される。これにより、受電装置１０は、送電装置９０に対する配置の姿勢の影響を受け難く、高い電力効率となる受電を実現できる。
【００５２】
（受電装置１０の回路構成の第２態様（受電装置１０’の回路構成））
図５（Ａ）は、第１の実施形態に係る受電装置の回路構成の第２態様を示す図である。図５（Ａ）に示すように、受電装置１０’は、受電共振回路３１０、受電共振回路３２０、整流素子４１、整流素子４２、統合出力平滑キャパシタ５１、個別出力平滑キャパシタ６１、個別出力平滑キャパシタ６２、抵抗７１、および、負荷ＲＬを備える。負荷ＲＬは、例えば、上述の二次電池８１である。
【００５３】
受電共振回路３１０は、受電コイル３１および共振用キャパシタによって構成される。共振用キャパシタは、図示を省略しているが、受電コイル３１に対して、電気的に並列または直列に接続する。
【００５４】
受電共振回路３２０は、受電コイル３２および共振用キャパシタによって構成される。共振用キャパシタは、図示を省略しているが、受電コイル３２に対して、電気的に並列または直列に接続する。
【００５５】
受電共振回路３１０の共振用キャパシタおよび受電共振回路３２０の共振用キャパシタは、例えば、上述の回路素子８０１によって実現される。
【００５６】
受電共振回路３１０の正極は、整流素子４１に接続する。受電共振回路３１０の負極は、受電共振回路３２０の正極に接続する。受電共振回路３２０の負極は、整流素子４２に接続する。
【００５７】
整流素子４１および整流素子４２は、例えば、ダイオードである。整流素子４１および整流素子４２は、それぞれに本発明の「個別整流回路」に対応する。整流素子４１および整流素子４２は、例えば、上述の回路素子８０１によって実現される。
【００５８】
整流素子４１を構成するダイオードのアノードは、受電共振回路３１０の正極に接続する。
【００５９】
整流素子４２を構成するダイオードのカソードは、受電共振回路３２０の負極に接続する。整流素子４２を構成するダイオードのアノードは、基準電位に接続する。
【００６０】
個別出力平滑キャパシタ６１は、受電共振回路３１０と整流素子４１との直列回路に対して、並列に接続する。言い換えれば、個別出力平滑キャパシタ６１の一方端は、整流素子４１を構成するダイオードのカソードに接続する。個別出力平滑キャパシタ６１の他方端は、受電共振回路３１０の負極（受電共振回路３２０の正極）に接続する。
【００６１】
個別出力平滑キャパシタ６２は、受電共振回路３２０と整流素子４２との直列回路に対して、並列に接続する。言い換えれば、個別出力平滑キャパシタ６２の一方端は、受電共振回路３２０の正極（受電共振回路３１０の負極および個別出力平滑キャパシタ６１の他方端）に接続する。個別出力平滑キャパシタ６２の他方端は、整流素子４１を構成するダイオードのアノードおよび基準電位に接続する。
【００６２】
個別出力平滑キャパシタ６１、および、個別出力平滑キャパシタ６２は、例えば、上述の回路素子８０１によって実現される。
【００６３】
抵抗７１の一方端は、個別出力平滑キャパシタ６１の一方端に接続し、抵抗７１の他方端は、統合出力平滑キャパシタ５１の一方端に接続している。抵抗７１は、例えば、上述の回路素子８０１によって実現される。
【００６４】
統合出力平滑キャパシタ５１の一方端は、抵抗７１の他方端に接続する。統合出力平滑キャパシタ５１の他方端は、基準電位に接続する。統合出力平滑キャパシタ５１は、例えば、上述の回路素子８０１によって実現される。統合出力平滑キャパシタ５１は、負荷ＲＬに対して、並列に接続する。
【００６５】
このような回路構成では、受電共振回路３１０の出力電圧によって、個別出力平滑キャパシタ６１は、蓄電する。また、受電共振回路３２０の出力電圧によって、個別出力平滑キャパシタ６２は、蓄電する。そして、個別出力平滑キャパシタ６１に蓄電された電力と個別出力平滑キャパシタ６２に蓄電された電力との加算値が、統合出力平滑キャパシタ５１に供給される。したがって、統合出力平滑キャパシタ５１は、受電共振回路３１０の出力電力と受電共振回路３２０の出力電力とを加算した電力によって、充電される。
【００６６】
図５（Ｂ）は、図５（Ａ）の回路構成を採用して、統合出力平滑キャパシタから受電共振回路側をみた場合の結合係数Ｋの回転角に対する依存性を示すグラフである。回転角の定義は、図４（Ｂ）、図４（Ｃ）と同じである。
【００６７】
上述の図４（Ｃ）の時にも説明したように、結合係数Ｋ３１の絶対値、および、結合係数Ｋ３２の絶対値における値の高い方は、常に所定値よりも大きくなる。したがって、図５（Ｂ）に示すように、統合出力平滑キャパシタ５１からみた結合係数Ｋ（図５（Ｂ）の実線に示す加算値）は、回転角がどのような値であっても所定値（上述のピークホールド値ＰＨ）よりも大きくなる。
【００６８】
このように、図５（Ａ）の回路構成によって、回転角に依存することなく、結合係数Ｋの絶対値は、所定値以上に維持される。したがって、統合出力平滑キャパシタ５１には、回転角に依存することなく、所定レベル以上の電力が供給され、統合出力平滑キャパシタ５１は、充電される。これにより、受電装置１０’は、送電装置９０に対する配置の姿勢の影響を受け難く、高い電力効率となる受電を実現できる。
【００６９】
また、上述の構成によって、次に示す各種の作用効果も実現される。  
上述の構成では、電池や電子機器は、複数の受電コイルによって囲まれる内側の筐体内に配置されており、筐体は導電性を有する。したがって、電池や電子機器は、外部の電磁界から保護される。
【００７０】
上述の構成では、複数の受電コイルと共振する共振回路を備え、共振回路に接続した個別整流素子と個別出力平滑キャパシタにより共振回路に流れる共振電流を整流平滑してから、統合出力平滑キャパシタによって電気エネルギーを統合する。このため、個別出力平滑キャパシタと統合出力平滑キャパシタとの間には高周波電流は流れず、電力損失が低減される。
【００７１】
上述の構成では、共振回路は、所定の周波数で共振するように設定されている。このため、設定した所定の周波数で振動する磁界から、より多くの電力を受け取ることが可能であり、ワイヤレス給電システムの高効率化、小型軽量化を図ることができる。
【００７２】
なお、複数の受電共振回路は、共振周波数が異なっていてもよい。送電コイルと受電コイルの間に形成される磁気結合の値は、受電コイルの配置などにより変化する。一般に、磁気結合の値が変化した場合、給電システムの共振周波数は変化し、受電電力は大きく変動してしまう。一方、複数の受電共振回路の共振周波数を予め異なる値に設定しておくことにより、受電コイルの配置などが変化した場合でも安定した電力を受電することが可能になる。
【００７３】
（第２実施形態）
図６は、第２の実施形態に係る受電装置１０Ａにおける複数の受電コイルの配置の一態様を示す斜視図である。
【００７４】
図６に示すように、第２の実施形態に係る受電装置１０Ａは、第１の実施形態に係る受電装置１０に対して、筐体１１Ａの形状、複数の受電コイルの形状および個数、筐体１１Ａに対する配置態様において異なる。受電装置１０Ａの構造的な他の構成は、受電装置１０と同様であり、同様の箇所の説明は省略する。
【００７５】
第２の実施形態に係る受電装置１０Ａは、筐体１１Ａ、受電コイル３１Ａ、受電コイル３２Ａ、受電コイル３３Ａ、および、受電コイル３４Ａを備える。
【００７６】
筐体１１Ａは、角柱状（直方体）であり、４面からなる側面１１１１Ａ、側面１１１２Ａ、側面１１１３Ａ、および、側面１１１４Ａを備える。筐体１１Ａは、筐体１１と同様に、例えば金属である。筐体１１Ａは、側面１１１１Ａ、側面１１１２Ａ、側面１１１３Ａ、および、側面１１１４Ａによって囲まれる断面が矩形の中空を有する。側面１１１１Ａと側面１１１３Ａとは対向し、側面１１１２Ａと側面１１１４Ａとは対向する。側面１１１１Ａ、側面１１１２Ａ、側面１１１３Ａ、および、側面１１１４Ａの表面（外面）には、図示しない磁性シートが配置されている。
【００７７】
受電コイル３１Ａ、受電コイル３２Ａ、受電コイル３３Ａ、および、受電コイル３４Ａは、側面１１１１Ａ、側面１１１２Ａ、側面１１１３Ａ、および、側面１１１４Ａにおける繋がる三面に沿って、それぞれに配置されている。
【００７８】
図７（Ａ）、図７（Ｂ）、図７（Ｃ）、図７（Ｄ）は、第２の実施形態に係る受電コイルの外観斜視図である。
【００７９】
図７（Ａ）に示すように、受電コイル３１Ａは、巻回形であり、２箇所の第１導体部３１１Ａと、２箇所の第２導体部３１２Ａとを備える。２箇所の第１導体部３１１Ａは、直線状であり、互いに平行である。２箇所の第１導体部３１１Ａは、直線の延びる方向に対して直交する方向に離間している。２箇所の第１導体部３１１Ａの一方端は、一方の第２導体部３１２Ａによって、接続されている。２個の第１導体部３１１Ａの他方端は、他方の第２導体部３１２Ａによって、接続されている。２箇所の第２導体部３１２Ａは、延びる方向の２箇所で略直角に屈曲している。２箇所の第２導体部３１２Ａは、平行である。
【００８０】
図７（Ｂ）に示すように、受電コイル３２Ａは、巻回形であり、２箇所の第１導体部３２１Ａと、２箇所の第２導体部３２２Ａとを備える。受電コイル３２Ａの構造は、受電コイル３１Ａと同様である。
【００８１】
図７（Ｃ）に示すように、受電コイル３３Ａは、巻回形であり、２箇所の第１導体部３３１Ａと、２箇所の第２導体部３３２Ａとを備える。受電コイル３３Ａの構造は、受電コイル３１Ａおよび受電コイル３２Ａと同様である。
【００８２】
図７（Ｄ）に示すように、受電コイル３４Ａは、巻回形であり、２箇所の第１導体部３４１Ａと、２箇所の第２導体部３４２Ａとを備える。受電コイル３４Ａの構造は、受電コイル３１Ａ、受電コイル３２Ａ、および、受電コイル３３Ａと同様である。
【００８３】
図６に示すように、受電コイル３１Ａの第１導体部（主導体部）は、側面１１１１Ａと側面１１１３Ａとに沿い、第２導体部は、側面１１１１Ａ、側面１１１２Ａ、および、側面１１１３Ａに沿っている。受電コイル３２Ａの第１導体部（主導体部）は、側面１１１２Ａと側面１１１４Ａとに沿い、第２導体部は、側面１１１２Ａ、側面１１１１Ａ、および、側面１１１４Ａに沿っている。
【００８４】
受電コイル３３Ａの第１導体部（主導体部）は、側面１１１１Ａと側面１１１３Ａとに沿い、第２導体部は、側面１１１１Ａ、側面１１１４Ａ、および、側面１１１３Ａに沿っている。受電コイル３４Ａの第１導体部（主導体部）は、側面１１１２Ａと側面１１１４Ａとに沿い、第２導体部は、側面１１１２Ａ、側面１１１３Ａ、および、側面１１１４Ａに沿っている。
【００８５】
このような配置によって、受電コイル３１Ａの第１導体部（主導体部）、受電コイル３２Ａの第１導体部（主導体部）、受電コイル３３Ａの第１導体部（主導体部）、および、受電コイル３４Ａの第１導体部（主導体部）は、筐体１１の側面に沿って互いに位置をずらせて配置されている。
【００８６】
これにより、受電装置１０Ａも、第１の実施形態に係る受電装置１０と同様に、受電装置１０Ａの姿勢に関係なく、受電コイル３１Ａと送電コイル９２との結合係数Ｋの絶対値、受電コイル３２Ａと送電コイル９２との結合係数Ｋの絶対値、受電コイル３３Ａと送電コイル９２との結合係数Ｋの絶対値、および、受電コイル３４Ａと送電コイル９２との結合係数Ｋの絶対値のいずれかは、所望値以上となる。もしくは、受電装置１０Ａの姿勢に関係なく、受電装置１０Ａの姿勢に関係なく、受電コイル３１Ａと送電コイル９２との結合係数Ｋの絶対値、受電コイル３２Ａと送電コイル９２との結合係数Ｋの絶対値、受電コイル３３Ａと送電コイル９２との結合係数Ｋの絶対値、および、受電コイル３４Ａと送電コイル９２との結合係数Ｋの絶対値の加算値は、所望値以上となる。
【００８７】
このような受電コイル３１Ａ、受電コイル３２Ａ、受電コイル３３Ａ、および、受電コイル３４Ａの形状は、次に示す構成によって容易に実現できる。
【００８８】
図８（Ａ）は、第２の実施形態に係る複数の受電コイルの複合体における折り曲げ加工前の平面図である。図８（Ｂ）は、第２の実施形態に係る複数の受電コイルの複合体における折り曲げ加工前の側面図である。なお、図８（Ａ）、図８（Ｂ）では、複数の受電コイルを一本の線の巻回形で表しているが、線状もしくは帯状の導体パターンが複数回巻いた巻回形であってもよい。
【００８９】
図８（Ａ）、図８（Ｂ）に示すように、折り曲げ加工前では、受電コイル３１Ａ、受電コイル３２Ａ、受電コイル３３Ａ、および、受電コイル３４Ａは、平面視して矩形である。受電コイル３１Ａの形状、受電コイル３２Ａの形状、受電コイル３３Ａの形状、および、受電コイル３４Ａの形状は、同じもしくは略同じである。
【００９０】
受電コイル３１Ａと受電コイル３３Ａとは、絶縁性シート３０１の表面に形成されている。絶縁性シート３０１は、柔軟性を有する。受電コイル３１Ａと受電コイル３３Ａとは、離間して配置されている。受電コイル３１Ａの第１導体部３１１Ａと受電コイル３３Ａの第１導体部３３１Ａとは、平行である。受電コイル３１Ａの第２導体部３１２Ａと受電コイル３３Ａの第２導体部３３２Ａとは、一直線上に並んでいる。
【００９１】
受電コイル３２Ａと受電コイル３４Ａとは、絶縁性シート３０２の表面に形成されている。絶縁性シート３０２は、柔軟性を有する。なお、柔軟性とは、本願発明では、湾曲可能な性質であればよく、例えば、一般的には、ポリイミド、液晶ポリマ等を材料として形成されている。
【００９２】
受電コイル３２Ａと受電コイル３４Ａとは、離間して配置されている。受電コイル３２Ａの第１導体部３２１Ａと受電コイル３４Ａの第１導体部３４１Ａとは、平行である。受電コイル３２Ａの第２導体部３２２Ａと受電コイル３４Ａの第２導体部３４２Ａとは、一直線上に並んでいる。
【００９３】
絶縁性シート３０２は、絶縁性シート３０１の表面側に配置される。この際、絶縁性シート３０２の裏面は、絶縁性シート３０１の表面に対向する。
【００９４】
絶縁性シート３０１における第１方向の端部と、絶縁性シート３０２における第１方向の端部とは、一致していない。ここで、第１方向とは、それぞれの絶縁性シート３０１および絶縁性シート３０２において、受電コイルの並ぶ方向である。
【００９５】
この構成によって、受電コイル３１Ａと受電コイル３２Ａとは、平面視において部分的に重なっている。受電コイル３２Ａにおける受電コイル３１Ａと重なっていない部分は、受電コイル３３Ａに重なっている。受電コイル３３Ａにおける受電コイル３２Ａと重なっていない部分は、受電コイル３４Ａに重なっている。
【００９６】
このような構成の複合体は、図８（Ａ）の２点鎖線に示す線に沿って折り曲げられる。より具体的には、平面視において、隣り合う第１導体部間の中間位置において、第１導体部の延びる方向に平行な方向を折り曲げ線として、複合体は、折り曲げられる。折り曲げ角度は、略直角である。なお、折り曲げでなく、湾曲であってもよい。
【００９７】
このような構成および加工を行うことで、図６に示すように、受電コイル３１Ａ、受電コイル３２Ａ、受電コイル３３Ａ、および、受電コイル３４Ａは、矩形の中空を有するように配置される。そして、この構成によって、受電コイル３１Ａ、受電コイル３２Ａ、受電コイル３３Ａ、および、受電コイル３４Ａの位置関係を、容易に且つ確実に規定できる。したがって、図６に示す受電装置１０Ａを容易に形成できる。
【００９８】
（受電装置１０Ａの回路構成の第１態様）
図９は、第２の実施形態に係る受電装置１０Ａの回路構成の第１態様を示す図である。図９に示すように、受電装置１０Ａは、受電共振回路３１０、受電共振回路３２０、受電共振回路３３０、受電共振回路３４０、整流素子４１、整流素子４２、整流素子４３、整流素子４４、統合出力平滑キャパシタ５１、共通蓄電キャパシタ６０、個別出力平滑キャパシタ６１、個別出力平滑キャパシタ６２、個別出力平滑キャパシタ６３、個別出力平滑キャパシタ６４、抵抗７１、および、負荷ＲＬを備える。負荷ＲＬは、例えば、上述の二次電池８１である。
【００９９】
受電共振回路３１０は、受電コイル３１Ａおよび共振用キャパシタによって構成される。共振用キャパシタは、図示を省略しているが、受電コイル３１Ａに対して、電気的に並列または直列に接続する。
【０１００】
受電共振回路３２０は、受電コイル３２Ａおよび共振用キャパシタによって構成される。共振用キャパシタは、図示を省略しているが、受電コイル３２Ａに対して、電気的に並列または直列に接続する。
【０１０１】
受電共振回路３３０は、受電コイル３３Ａおよび共振用キャパシタによって構成される。共振用キャパシタは、図示を省略しているが、受電コイル３３Ａに対して、電気的に並列または直列に接続する。
【０１０２】
受電共振回路３４０は、受電コイル３４Ａおよび共振用キャパシタによって構成される。共振用キャパシタは、図示を省略しているが、受電コイル３４Ａに対して、電気的に並列または直列に接続する。
【０１０３】
受電共振回路３１０の共振用キャパシタ、受電共振回路３２０の共振用キャパシタ、受電共振回路３３０の共振用キャパシタ、受電共振回路３４０の共振用キャパシタは、例えば、第１の実施形態に示した回路素子８０１によって実現される。
【０１０４】
受電共振回路３１０の正極は、整流素子４１に接続し、負極は基準電位に接続する。受電共振回路３２０の正極は、整流素子４２に接続し、負極は基準電位に接続する。受電共振回路３３０の正極は、整流素子４３に接続し、負極は基準電位に接続する。受電共振回路３４０の正極は、整流素子４４に接続し、負極は基準電位に接続する。
【０１０５】
整流素子４１、整流素子４２、整流素子４３、および、整流素子４４は、例えば、ダイオードである。整流素子４１、整流素子４２、整流素子４３、および、整流素子４４は、それぞれに本発明の「個別整流回路」に対応する。整流素子４１、整流素子４２、整流素子４３、および、整流素子４４は、例えば、上述の回路素子８０１によって実現される。
【０１０６】
整流素子４１を構成するダイオードのアノードは、受電共振回路３１０の正極に接続する。整流素子４２を構成するダイオードのアノードは、受電共振回路３２０の正極に接続する。整流素子４３を構成するダイオードのアノードは、受電共振回路３３０の正極に接続する。整流素子４４を構成するダイオードのアノードは、受電共振回路３４０の正極に接続する。
【０１０７】
整流素子４１を構成するダイオードのカソード、整流素子４２を構成するダイオードのカソード、整流素子４３を構成するダイオードのカソード、および、整流素子４４を構成するダイオードのカソードは、接続する。
【０１０８】
共通蓄電キャパシタ６０の一方端は、これら整流素子４１、４２、４３、４４の接続点に接続する。共通蓄電キャパシタ６０の他方端は、基準電位に接続する。共通蓄電キャパシタ６０は、例えば、上述の回路素子８０１によって実現される。
【０１０９】
個別出力平滑キャパシタ６１の一方端は、整流素子４１を構成するダイオードのカソードに接続する。個別出力平滑キャパシタ６１の他方端は、基準電位に接続する。個別出力平滑キャパシタ６２の一方端は、整流素子４２を構成するダイオードのカソードに接続する。個別出力平滑キャパシタ６２の他方端は、基準電位に接続する。個別出力平滑キャパシタ６３の一方端は、整流素子４３を構成するダイオードのカソードに接続する。個別出力平滑キャパシタ６３の他方端は、基準電位に接続する。個別出力平滑キャパシタ６４の一方端は、整流素子４４を構成するダイオードのカソードに接続する。個別出力平滑キャパシタ６４の他方端は、基準電位に接続する。
【０１１０】
抵抗７１の一方端は、共通蓄電キャパシタ６０の一方端に接続する。抵抗７１の他方端は、共通蓄電キャパシタ６０の他方端に接続する。抵抗７１は、例えば、上述の回路素子８０１によって実現される。
【０１１１】
統合出力平滑キャパシタ５１の一方端は、抵抗７１の他方端に接続する。統合出力平滑キャパシタ５１の他方端は、基準電位に接続する。統合出力平滑キャパシタ５１は、例えば、上述の回路素子８０１によって実現される。統合出力平滑キャパシタ５１は、負荷ＲＬに対して、並列に接続する。
【０１１２】
このような回路構成では、受電共振回路３１０の出力電圧、受電共振回路３２０の出力電圧、受電共振回路３３０の出力電圧、および、受電共振回路３４０の出力電圧に対するピークホールド制御が行われ、共通蓄電キャパシタ６０を介して、統合出力平滑キャパシタ５１に供給される。したがって、統合出力平滑キャパシタ５１は、受電共振回路３１０の出力電圧の絶対値、受電共振回路３２０の出力電圧の絶対値、受電共振回路３３０の出力電圧の絶対値、および、受電共振回路３４０の出力電圧の絶対値における値の大きな出力電力によって、充電される。
【０１１３】
図１０（Ａ）は、結合係数Ｋの回転角に対する依存性を示すグラフである。図１０（Ｂ）は、図９の回路構成を採用して、統合出力平滑キャパシタから受電共振回路側をみた場合の結合係数Ｋの回転角に対する依存性を示すグラフである。回転角は、受電装置１０の側面１１１の周方向における、ある１点が他の部分よりも送電装置９０に近接した状態を角度０°として設定される。そして、この０°の状態に対して、受電装置１０が周方向に沿って回転した角度を意味する。図１０（Ａ）、図１０（Ｂ）において、回転角が０°とは、受電コイル３２Ａの第１導体部３２１Ａおよび受電コイル３４Ａの第１導体部３４１Ａが、他の第１導体部よりも送電装置９０に近接した状態である。
【０１１４】
上述のように、送電装置９０に対して受電装置１０Ａが配置される姿勢、すなわち、受電装置１０Ａの回転角によって、図１０（Ａ）に示すように、受電コイル３１と送電コイル９２との結合係数Ｋ３１、受電コイル３２と送電コイル９２との結合係数Ｋ３２、受電コイル３３Ａと送電コイル９２との結合係数Ｋ３３、および、受電コイル３４Ａと送電コイル９２との結合係数Ｋ３４は、変化する。
【０１１５】
しかしながら、図１０（Ｂ）に示すように、結合係数Ｋ３１の絶対値、結合係数Ｋ３２の絶対値、結合係数Ｋ３３の絶対値、および、結合係数Ｋ３４の絶対値における最も高い値（図１０（Ｂ）の実線に示すピークホールド値ＰＨ）は、常に所定値よりも大きくなる。
【０１１６】
このように、図９の回路構成によって、回転角に依存することなく、結合係数Ｋの絶対値は、所定値以上に維持される。したがって、統合出力平滑キャパシタ５１には、回転角に依存することなく、所定レベル以上の電力が供給され、統合出力平滑キャパシタ５１は、充電される。これにより、受電装置１０Ａは、送電装置９０に対する配置の姿勢の影響を受け難く、高い電力効率で受電できる。
【０１１７】
また、受電装置１０Ａは、受電コイルが４個であり、受電コイル３１Ａの第１導体部３４１Ａ、受電コイル３２Ａの第１導体部３２１Ａ、受電コイル３３Ａの第１導体部３３１Ａ、および、受電コイル３４Ａの第１導体部３４１Ａは、筐体１１Ａの側面に沿ってズレた位置に配置されている。したがって、回転角に対する統合出力平滑キャパシタ５１への供給電圧の変化を抑制できる。これにより、受電装置１０Ａは、さらに高い電力効率で受電できる。
【０１１８】
また、受電装置１０Ａの筐体１１Ａは、角柱状である。したがって、受電装置１０Ａは、送電装置９０に配置した時に転がりにくい。これにより、受電装置１０Ａは、安定して、高い電力効率で受電できる。
【０１１９】
（受電装置１０Ａの回路構成の第２態様（受電装置１０Ａ’の回路構成））
図１１は、第２の実施形態に係る受電装置１０Ａ’の回路構成の第２態様を示す図である。図１１に示すように、受電装置１０Ａ’は、受電共振回路３１０、受電共振回路３２０、受電共振回路３３０、受電共振回路３４０、整流素子４１、整流素子４２、整流素子４３、整流素子４４、統合出力平滑キャパシタ５１、個別出力平滑キャパシタ６１、個別出力平滑キャパシタ６２、個別出力平滑キャパシタ６３、個別出力平滑キャパシタ６４、抵抗７１、および、負荷ＲＬを備える。負荷ＲＬは、例えば、上述の二次電池８１である。
【０１２０】
受電共振回路３１０は、受電コイル３１Ａおよび共振用キャパシタによって構成される。共振用キャパシタは、図示を省略しているが、受電コイル３１Ａに対して、電気的に並列または直列に接続する。
【０１２１】
受電共振回路３２０は、受電コイル３２Ａおよび共振用キャパシタによって構成される。共振用キャパシタは、図示を省略しているが、受電コイル３２Ａに対して、電気的に並列または直列に接続する。
【０１２２】
受電共振回路３３０は、受電コイル３３Ａおよび共振用キャパシタによって構成される。共振用キャパシタは、図示を省略しているが、受電コイル３３Ａに対して、電気的に並列または直列に接続する。
【０１２３】
受電共振回路３４０は、受電コイル３４Ａおよび共振用キャパシタによって構成される。共振用キャパシタは、図示を省略しているが、受電コイル３４Ａに対して、電気的に並列または直列に接続する。
【０１２４】
受電共振回路３１０の共振用キャパシタ、受電共振回路３２０の共振用キャパシタ、受電共振回路３３０の共振用キャパシタ、および、受電共振回路３４０の共振用キャパシタは、例えば、上述の回路素子８０１によって実現される。
【０１２５】
受電共振回路３１０の正極は、整流素子４１に接続する。受電共振回路３１０の負極は、整流素子４２を介して、受電共振回路３２０の正極に接続する。受電共振回路３２０の負極は、整流素子４３を介して、受電共振回路３３０の正極に接続する。受電共振回路３３０の負極は、整流素子４４を介して、受電共振回路３４０の正極に接続する。受電共振回路３４０の負極は、基準電位に接続する。
【０１２６】
整流素子４１、整流素子４２、整流素子４３、および、整流素子４４は、例えば、ダイオードである。整流素子４１、整流素子４２、整流素子４３、および、整流素子４４は、それぞれに本発明の「個別整流回路」に対応する。整流素子４１、整流素子４２、整流素子４３、および、整流素子４４は、例えば、上述の回路素子８０１によって実現される。
【０１２７】
整流素子４１を構成するダイオードのアノードは、受電共振回路３１０の正極に接続する。整流素子４２を構成するダイオードのカソードは、受電共振回路３１０の負極に接続する。整流素子４２を構成するダイオードのアノードは、受電共振回路３２０の正極に接続する。整流素子４３を構成するダイオードのカソードは、受電共振回路３２０の負極に接続する。整流素子４３を構成するダイオードのアノードは、受電共振回路３３０の正極に接続する。整流素子４４を構成するダイオードのカソードは、受電共振回路３３０の負極に接続する。整流素子４４を構成するダイオードのアノードは、受電共振回路３４０の正極に接続する。
【０１２８】
個別出力平滑キャパシタ６１は、受電共振回路３１０と整流素子４１との直列回路に対して、並列に接続する。個別出力平滑キャパシタ６２は、受電共振回路３２０と整流素子４２との直列回路に対して、並列に接続する。個別出力平滑キャパシタ６３は、受電共振回路３３０と整流素子４３との直列回路に対して、並列に接続する。個別出力平滑キャパシタ６４は、受電共振回路３４０と整流素子４４との直列回路に対して、並列に接続する。個別出力平滑キャパシタ６１、個別出力平滑キャパシタ６２、個別出力平滑キャパシタ６３、および、個別出力平滑キャパシタ６４は、例えば、上述の回路素子８０１によって実現される。
【０１２９】
抵抗７１の一方端は、個別出力平滑キャパシタ６１の一方端に接続し、抵抗７１の他方端は、統合出力平滑キャパシタ５１の一方端に接続している。抵抗７１は、例えば、上述の回路素子８０１によって実現される。
【０１３０】
統合出力平滑キャパシタ５１の一方端は、抵抗７１の他方端に接続する。統合出力平滑キャパシタ５１の他方端は、基準電位に接続する。統合出力平滑キャパシタ５１は、例えば、上述の回路素子８０１によって実現される。統合出力平滑キャパシタ５１は、負荷ＲＬに対して、並列に接続する。
【０１３１】
このような回路構成では、受電共振回路３１０の出力電圧によって、個別出力平滑キャパシタ６１は、蓄電する。受電共振回路３２０の出力電圧によって、個別出力平滑キャパシタ６２は、蓄電する。受電共振回路３３０の出力電圧によって、個別出力平滑キャパシタ６３は、蓄電する。受電共振回路３４０の出力電圧によって、個別出力平滑キャパシタ６４は、蓄電する。そして、個別出力平滑キャパシタ６１に蓄電された電力、個別出力平滑キャパシタ６２に蓄電された電力、個別出力平滑キャパシタ６３に蓄電された電力、および、個別出力平滑キャパシタ６４に蓄電された電力の加算値が、統合出力平滑キャパシタ５１に供給される。したがって、統合出力平滑キャパシタ５１は、受電共振回路３１０の出力電力、受電共振回路３２０の出力電力、受電共振回路３３０の出力電力、および、受電共振回路３４０の出力電力を加算した電力によって、充電される。
【０１３２】
この構成によって、受電装置１０Ａ’では、受電装置１０’と同様に、回転角に依存することなく、結合係数Ｋの絶対値は、所定値以上に維持される。したがって、統合出力平滑キャパシタ５１には、回転角に依存することなく、所定レベル以上の電力が供給され、統合出力平滑キャパシタ５１は、充電される。これにより、受電装置１０Ａ’は、送電装置９０に対する配置の姿勢の影響を受け難く、高い電力効率で受電できる。
【０１３３】
さらに、受電装置１０Ａ’は、受電コイル３１Ａ、受電コイル３２Ａ、受電コイル３３Ａ、および、受電コイル３４Ａの４個を備える。したがって、送電装置９０に対する配置の姿勢の影響をさらに受け難く、より高い電力効率で受電できる。
【０１３４】
なお、第２実施形態に係る受電装置１０Ａおよび受電装置１０Ａ’は、４個の受電コイルを備える。しかしながら、受電装置１０Ａおよび受電装置１０Ａ’と同様の構造を採用し、受電コイルの個数を異ならせることもできる。図１２は、第２の実施形態に係る受電装置における複数の受電コイルの配置の他の一態様を示す斜視図である。
【０１３５】
図１２に示すように、受電装置１０Ｂは、受電装置１０Ａに対して、受電コイルの個数において異なる。受電装置１０Ｂの他の構成は、受電装置１０Ａと同様であり、同様の箇所の説明は省略する。
【０１３６】
受電装置１０Ｂは、筐体１１Ｂ、受電コイル３１Ｂ、および、受電コイル３２Ｂを備える。筐体１１Ｂは、筐体１１Ａと同様である。受電コイル３１Ｂは、受電コイル３１Ａと同様であり、受電コイル３２Ｂは、受電コイル３２Ａと同様である。
【０１３７】
このような構成であっても、受電装置１０Ｂは、送電装置９０に対する配置の姿勢の影響を受け難く、高い電力効率で受電できる。
【０１３８】
なお、受電コイルの個数は、４個、２個に限るものではなく、３個であってもよく、５個以上であってもよい。
【０１３９】
また、整流回路は、半波整流回路、全波整流回路、倍電圧整流回路、および、倍電流整流回路のいずれか１種類によって構成されていればよい。
【０１４０】
また、側面に沿って配置される受電コイルの複数の第１導体部（主導体部）の配置間隔は、等間隔であることが好ましい。これにより、受電電力の回転角によるバラツキは、さらに抑制される。
【符号の説明】
【０１４１】
１０、１０Ａ、１０Ｂ：受電装置
１１、１１Ａ、１１Ｂ：筐体
２１：磁性シート
３１、３１Ａ、３１Ｂ、３２、３２Ａ、３２Ｂ、３３Ａ、３４Ａ：受電コイル
４１、４２、４３、４４：整流素子
５１：統合出力平滑キャパシタ
６０：共通蓄電キャパシタ
６１、６２、６３、６４：個別出力平滑キャパシタ
７１：抵抗
８１：二次電池
９０：送電装置
９１：台
９２：送電コイル
１１１：側面
１１２：端面
３０１、３０２：絶縁性シート
３１０、３２０、３３０、３４０：受電共振回路
３１１、３１１Ａ：第１導体部
３１２、３１２Ａ：第２導体部
３１９、３２９：配線導体
３２１、３２１Ａ、３３１Ａ、３４１Ａ：第１導体部
３２２、３２２Ａ、３３２Ａ、３４２Ａ：第２導体部
８００：回路基板
８０１：回路素子
１１１１Ａ、１１１２Ａ、１１１３Ａ、１１１４Ａ：側面
【図１】
2020188907.tif 000003
【図２】
2020188907.tif 000004
【図３】
2020188907.tif 000005
【図４】
2020188907.tif 000006
【図５】
2020188907.tif 000007
【図６】
2020188907.tif 000008
【図７】
2020188907.tif 000009
【図８】
2020188907.tif 000010
【図９】
2020188907.tif 000011
【図１０】
2020188907.tif 000012
【図１１】
2020188907.tif 000013
【図１２】
2020188907.tif 000014
【国際調査報告】
2020188907.tif 000015
2020188907.tif 000016
2020188907.tif 000017
2020188907.tif 000018
2020188907.tif 000019